(57)【要約】【課題】放送情報と時刻情報を受信し、低コストおよび低消費電力で小型化が可能な受信装置を提供する。【解決手段】テレビジョン受信装置１は、入力された放送信号および時刻信号の中から、受信対象信号がそれぞれ選択され、前記選択された受信対象信号に応じて局発周波数を決定し、前記局発周波数を有する局部発振信号を生成する局部発振信号生成手段と、前記局部発振信号と前記受信信号とを混合することにより、前記受信信号に含まれる２つの受信対象信号を、中間周波信号にそれぞれ変換する周波数変換手段と、所定の周波数帯域に含まれる２つの中間周波信号をそれぞれ復調する復調手段４０と、前記情報を出力する出力手段５０とを備え、前記局部発振信号生成手段は、２つの中間周波信号の占有周波数帯域が、前記所定の周波数帯域に含まれると共に、前記占有周波数帯域が互いに重ならないように、前記局発周波数をそれぞれ決定する。【選択図】図１
2008286523.tif 000002
【特許請求の範囲】
【請求項１】
放送情報が変調され、割当てられた放送チャンネルの周波数で送信される放送信号、および時刻情報が変調され、所定の周波数で送信される時刻信号とを含む受信信号が入力される入力手段と、
前記入力された前記受信信号から、受信対象信号である前記放送信号および前記時刻信号を選択させる選択手段と、
前記選択された前記放送信号に応じて決定された第１の局発周波数を有する第１の局部発振信号を生成するとともに、前記選択された前記時刻信号に応じて決定された第２の局発周波数を有する第２の局部発振信号を生成する局部発振信号生成手段と、
前記第１の局部発振信号と前記受信信号とを混合することにより、前記受信信号に含まれる前記放送信号を、前記第１の局発周波数と前記放送信号の周波数との差分を周波数とする第１の中間周波信号に変換するとともに、前記第２の局部発振信号と前記受信信号とを混合することにより、前記受信信号に含まれる前記時刻信号を、前記第２の局発周波数と前記時刻信号の周波数との差分を周波数とする第２の中間周波信号に変換する変換手段と、
所定の周波数帯域に含まれる前記第１の中間周波信号に含まれる前記放送情報および前記第２の中間周波信号に含まれる前記時刻情報を取り出すべく、前記第１の中間周波信号および前記第２の中間周波信号を復調する復調手段と、
前記取り出された前記放送情報および前記時刻情報を出力する出力手段とを備え、
前記局部発振信号生成手段は、前記第１の中間周波信号が占有する周波数帯域である第１の占有周波数帯域および前記第２の中間周波信号が占有する周波数帯域である第２の占有周波数帯域が、前記所定の周波数帯域に含まれると共に、前記第１および第２の占有周波数帯域が互いに重ならないように、前記第１の局発周波数および前記第２の局発周波数を決定することを特徴とする受信装置。
【請求項２】
請求項１に記載の受信装置において、
前記局部発振信号生成手段は、前記第１の中間周波信号の周波数が、前記所定の周波数帯域の中心周波数と等しくなるように、前記第１の局発周波数を決定することを特徴とする受信装置。
【請求項３】
請求項１に記載の受信装置において、
前記局部発振信号生成手段は、前記第１の占有周波数帯域が、前記所定の周波数帯域の一方の端部側に分布されると共に、
前記第２の占有周波数帯域が、前記所定の周波数帯域の他方の端部側に分布されるように、前記第１および第２の局発周波数を決定することを特徴とする受信装置。
【請求項４】
請求項１乃至３のいずれか１項に記載の受信装置において、
前記出力手段は、前記取り出された前記放送情報および前記時刻情報を表示する表示手段を備え、
前記表示手段は、前記放送情報および前記時刻情報を重畳して表示することを特徴とする受信装置。
【請求項５】
請求項４に記載の受信装置において、
前記表示手段は、前記放送情報および前記時刻情報の何れか一方を表示すると共に、前記放送情報および前記時刻情報の何れか他方を縮小して表示することを特徴とする受信装置。
【請求項６】
請求項１乃至５のいずれか１項に記載の受信装置において、
前記放送信号は、強階層と前記強階層よりも所要ＣＮ比が高い弱階層とを少なくとも含み、
前記復調手段は、前記強階層を用いて放送される前記放送情報を取り出すことを特徴とする受信装置。
【請求項７】
請求項１乃至６のいずれか１項に記載の受信装置において、
前記所定の周波数帯域は、前記復調手段が復調可能な周波数帯域であることを特徴とする受信装置。
【請求項８】
請求項１乃至７のいずれか１項に記載の受信装置において、
前記時刻情報は、ＣＤＭＡ変調されていることを特徴とする受信装置。
【請求項９】
請求項１乃至８のいずれか１項に記載の受信装置において、
前記時刻情報は、Ｐｅｒｓｏｎａｌ  Ｈａｎｄｙｐｈｏｎｅ  Ｓｙｓｔｅｍの電波に重畳されていることを特徴とする受信装置。
【請求項１０】
請求項１乃至９のいずれか１項に記載の受信装置を有する電子機器。
【請求項１１】
入力手段が、放送情報が変調され、割当てられた放送チャンネルの周波数で送信される放送信号、および時刻情報が変調され、所定の周波数で送信される時刻信号とを含む受信信号が入力される入力工程と、
選択手段が、前記入力された前記受信信号から、受信対象信号である前記放送信号および前記時刻信号を選択させる選択工程と、
局部発振信号生成手段が、前記選択された前記放送信号に応じて決定された第１の局発周波数を有する第１の局部発振信号を生成するとともに、前記選択された前記時刻信号に応じて決定された第２の局発周波数を有する第２の局部発振信号を生成する局部発振信号生成工程と、
変換手段が、前記第１の局部発振信号と前記受信信号とを混合することにより、前記受信信号に含まれる前記放送信号を、前記第１の局発周波数と前記放送信号の周波数との差分を周波数とする第１の中間周波信号に変換するとともに、前記第２の局部発振信号と前記受信信号とを混合することにより、前記受信信号に含まれる前記時刻信号を、前記第２の局発周波数と前記時刻信号の周波数との差分を周波数とする第２の中間周波信号に変換する変換工程と、
復調手段が、所定の周波数帯域に含まれる前記第１の中間周波信号に含まれる前記放送情報および前記第２の中間周波信号に含まれる前記時刻情報を取り出すべく、前記第１の中間周波信号および前記第２の中間周波信号を復調する復調工程と、
出力手段が、前記取り出された前記放送情報および前記時刻情報を出力する出力工程とを含み、
前記局部発振信号生成工程は、前記第１の中間周波信号が占有する周波数帯域である第１の占有周波数帯域および前記第２の中間周波信号が占有する周波数帯域である第２の占有周波数帯域が、前記所定の周波数帯域に含まれると共に、前記第１および第２の占有周波数帯域が互いに重ならないように、前記第１の局発周波数および前記第２の局発周波数を決定することを特徴とする受信方法。
【発明の詳細な説明】
【技術分野】
【０００１】
本発明は、放送情報と時刻情報とを受信する受信装置、電子機器および受信方法に関する。
【背景技術】
【０００２】
デジタル放送を受信するテレビ受信機や録画装置等の電子機器においては、予約録画の時刻設定や、有料放送あるいは著作権保護のための再生可能な有効期間の確定等のため、正確な時刻情報を取得することが極めて重要になっている。このような正確な時刻情報は、地上基地局から送信される長波帯域の標準電波や、ＧＰＳ（Ｇｌｏｂａｌ  Ｐｏｓｉｔｉｏｎｉｎｇ  Ｓｙｓｔｅｍ）衛星から送信される極超短波帯域の時刻データを受信することにより取得できることが知られている。更に、近年では、下記特許文献１に記載されているように、移動通信を目的として、ＣＤＭＡ（Ｃｏｄｅ  Ｄｉｖｉｓｉｏｎ  Ｍｕｌｔｉｐｌｅ  Ａｃｃｅｓｓ）変調されて送信される極超短波帯域の電波に含まれる時刻信号を受信して、正確な時刻を取得する装置が提案されている。このような極超短波帯域の電波は、種々の中継局から遍く中継されるため、長波帯域の標準電波やＧＰＳ衛星からの電波と比較して、建物の中や地下のような様々な移動先においても、良好に受信できることが知られている。
【０００３】
【特許文献１】特開２０００−３２１３８３号公報
【発明の開示】
【発明が解決しようとする課題】
【０００４】
しかしながら、テレビ受信機や録画装置等の電子機器において、変調された時刻信号の電波を受信して時刻情報を取得するためには、変調された受信信号を復調して時刻情報を抽出するための受信回路を、電子機器に新たに組み込む必要があるため、電子機器の製作に要するコストが上昇すると共に、電子機器のサイズが大型化され、消費電力も増大した。
【課題を解決するための手段】
【０００５】
本発明の受信装置は、放送情報が変調され、割当てられた放送チャンネルの周波数で送信される放送信号、および時刻情報が変調され、所定の周波数で送信される時刻信号とを含む受信信号が入力される入力手段と、前記入力された前記受信信号から、受信対象信号である前記放送信号および前記時刻信号を選択させる選択手段と、前記選択された前記放送信号に応じて決定された第１の局発周波数を有する第１の局部発振信号を生成するとともに、前記選択された前記時刻信号に応じて決定された第２の局発周波数を有する第２の局部発振信号を生成する局部発振信号生成手段と、前記第１の局部発振信号と前記受信信号とを混合することにより、前記受信信号に含まれる前記放送信号を、前記第１の局発周波数と前記放送信号の周波数との差分を周波数とする第１の中間周波信号に変換するとともに、前記第２の局部発振信号と前記受信信号とを混合することにより、前記受信信号に含まれる前記時刻信号を、前記第２の局発周波数と前記時刻信号の周波数との差分を周波数とする第２の中間周波信号に変換する変換手段と、所定の周波数帯域に含まれる前記第１の中間周波信号に含まれる前記放送情報および前記第２の中間周波信号に含まれる前記時刻情報を取り出すべく、前記第１の中間周波信号および前記第２の中間周波信号を復調する復調手段と、前記取り出された前記放送情報および前記時刻情報を出力する出力手段とを備え、前記局部発振信号生成手段は、前記第１の中間周波信号が占有する周波数帯域である第１の占有周波数帯域および前記第２の中間周波信号が占有する周波数帯域である第２の占有周波数帯域が、前記所定の周波数帯域に含まれると共に、前記第１および第２の占有周波数帯域が互いに重ならないように、前記第１の局発周波数および前記第２の局発周波数を決定することを特徴とする。
【０００６】
この発明によれば、放送信号および時刻信号の中から、それぞれ選択された２つの受信対象信号は、２つの中間周波信号に変換され、２つの中間周波信号の占有周波数帯域は、互いに重なることなく、何れも所定の周波数帯域に含まれる。この結果、復調手段は、２つの中間周波信号を互いに干渉することなく復調し、放送情報および時刻情報を欠落することなく取り出すことができる。従って、受信した２つの信号から、それぞれの信号が含む情報を取り出す処理を共通にできることから、このような受信装置の製作コストを低減できると共に、受信装置を小型化および低消費電力化できる。
【０００７】
本発明の受信装置では、前記局部発振信号生成手段は、前記第１の中間周波信号の周波数が、前記所定の周波数帯域の中心周波数と等しくなるように、前記第１の局発周波数を決定することが好ましい。
この発明によれば、放送信号を含む中間周波信号の周波数は、所定の周波数帯域の中心周波数に変換されるため、放送信号の復調処理が容易になる。
【０００８】
本発明の受信装置では、前記局部発振信号生成手段は、前記第１の占有周波数帯域が、前記所定の周波数帯域の一方の端部側に分布されると共に、前記第２の占有周波数帯域が、前記所定の周波数帯域の他方の端部側に分布されるように、前記第１および第２の局発周波数を決定することを特徴とする受信装置。
この発明によれば、２つの中間周波信号による相互干渉を回避できる。
【０００９】
本発明の受信装置では、前記出力手段は、前記取り出された前記放送情報および前記時刻情報を表示する表示手段を備え、前記表示手段は、前記放送情報および前記時刻情報を重畳して表示することが好ましい。
この発明によれば、放送情報と時刻情報とを同時に表示できる。
【００１０】
本発明の受信装置では、前記表示手段は、前記放送情報および前記時刻情報の何れか一方を表示すると共に、前記放送情報および前記時刻情報の何れか他方を縮小して表示しても良い。また、本発明の受信装置では、前記放送信号は、強階層と前記強階層よりも所要ＣＮ比が高い弱階層とを少なくとも含み、前記復調手段は、前記強階層を用いて放送される前記放送情報を取り出しても良い。
【００１１】
本発明の受信装置では、前記所定の周波数帯域は、前記復調手段が復調可能な周波数帯域であっても良い。また、本発明の受信装置では、前記時刻情報は、ＣＤＭＡ変調されていても良い。更に、本発明の受信装置では、前記時刻情報は、Ｐｅｒｓｏｎａｌ  Ｈａｎｄｙｐｈｏｎｅ  Ｓｙｓｔｅｍの電波に重畳されていても良い。そして、上記した受信装置を電子機器に適用しても良い。
【００１２】
本発明の受信方法は、入力手段が、放送情報が変調され、割当てられた放送チャンネルの周波数で送信される放送信号、および時刻情報が変調され、所定の周波数で送信される時刻信号とを含む受信信号が入力される入力工程と、選択手段が、前記入力された前記受信信号から、受信対象信号である前記放送信号および前記時刻信号を選択させる選択工程と、局部発振信号生成手段が、前記選択された前記放送信号に応じて決定された第１の局発周波数を有する第１の局部発振信号を生成するとともに、前記選択された前記時刻信号に応じて決定された第２の局発周波数を有する第２の局部発振信号を生成する局部発振信号生成工程と、変換手段が、前記第１の局部発振信号と前記受信信号とを混合することにより、前記受信信号に含まれる前記放送信号を、前記第１の局発周波数と前記放送信号の周波数との差分を周波数とする第１の中間周波信号に変換するとともに、前記第２の局部発振信号と前記受信信号とを混合することにより、前記受信信号に含まれる前記時刻信号を、前記第２の局発周波数と前記時刻信号の周波数との差分を周波数とする第２の中間周波信号に変換する変換工程と、復調手段が、所定の周波数帯域に含まれる前記第１の中間周波信号に含まれる前記放送情報および前記第２の中間周波信号に含まれる前記時刻情報を取り出すべく、前記第１の中間周波信号および前記第２の中間周波信号を復調する復調工程と、出力手段が、前記取り出された前記放送情報および前記時刻情報を出力する出力工程とを含み、前記局部発振信号生成工程は、前記第１の中間周波信号が占有する周波数帯域である第１の占有周波数帯域および前記第２の中間周波信号が占有する周波数帯域である第２の占有周波数帯域が、前記所定の周波数帯域に含まれると共に、前記第１および第２の占有周波数帯域が互いに重ならないように、前記第１の局発周波数および前記第２の局発周波数を決定することを特徴とする。
【００１３】
この発明によれば、放送信号および時刻信号の中から、それぞれ選択された２つの受信対象信号は、２つの中間周波信号に変換され、２つの中間周波信号の占有周波数帯域は、互いに重なることなく、何れも所定の周波数帯域に含まれる。この結果、復調手段は、２つの中間周波信号を互いに干渉することなく復調し、放送情報および時刻情報を欠落することなく取り出すことができる。従って、受信した２つの信号から、それぞれの信号が含む情報を取り出す処理を共通にできることから、このような受信装置の製作コストを低減できると共に、受信装置を小型化および低消費電力化できる。
【発明を実施するための最良の形態】
【００１４】
以下、本発明に係る受信装置の実施形態について図面を参照して説明する。
【００１５】
（実施形態１）
図１は、本発明の実施形態１に係る受信装置の一実施例であるテレビジョン受信装置１の機能構成を示すブロック図である。このテレビジョン受信装置１は、所定の周波数帯域の電波を用いて配信される地上波のデジタルテレビ放送を受信すると共に、ＣＤＭＡ変調されて送信される極超短波帯域の電波に含まれる時刻情報を受信して、この時刻情報が有する正確な時刻を出力する。
【００１６】
テレビジョン受信装置１は、アンテナ１０と、チューナ２０と、操作指示手段３８と、復調手段４０と、出力手段５０とを備える。また、チューナ２０は、ＲＦ（Ｒａｄｉｏ  Ｆｒｅｑｕｅｎｃｙ）部として機能し、ローノイズアンプ２２と、ＴＶ信号用周波数変換手段２４と、ＴＶ信号用局部発振信号生成手段（以降、「ＴＶ用局発信号生成手段」と略す。）２６と、ＴＶ信号用ＩＦバンドパスフィルタ２８と、ＣＤＭＡ信号用局部発振信号生成手段（以降、「ＣＤＭＡ用局発信号生成手段」と略す。）３０と、ＣＤＭＡ信号用周波数変換手段３２と、ＣＤＭＡ信号用ＩＦバンドパスフィルタ３４と、ＩＦアンプ３６とを有する。更に、復調手段４０は、ベースバンド部として機能し、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調手段４２と、ＣＤＭＡ復調手段４４と、時刻情報取得手段４６と、ＭＰＥＧ（Ｍｏｖｉｎｇ  Ｐｉｃｔｕｒｅ  Ｅｘｐｅｒｔｓ  Ｇｒｏｕｐ）復調手段４８とを有する。尚、チューナ２０および復調手段４０の各機能部は、図示は略すが、集積回路等の電気回路で実現させても良く、また、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）等で構成され、これらのハードウェアとソフトウェアとを協働させて実現しても良い。
【００１７】
アンテナ１０は、所定の利得特性を有し、空中に放射された電波を入力するための入力手段である。本実施形態１では、放送情報が変調され、割当てられた放送チャンネルの周波数で送信される放送信号と、時刻情報が変調され、所定の周波数で送信される時刻信号とを含む受信信号が、このアンテナ１０に入力される。ここで、放送信号の電波は、地上デジタル放送の電波であり、ＵＨＦ（Ｕｌｔｒａ  Ｈｉｇｈ  Ｆｒｅｑｕｅｎｃｙ）帯の周波数である４７３．１４ＭＨｚ（中心周波数）を１３チャンネルとして、６ＭＨｚの帯域幅毎に６２チャンネルまで割当てられている。１つの放送チャンネルを構成する帯域幅は、１４分割されると共に、この中の１３個がセグメントとして使用されている。これらのセグメントは、１セグメントから成る強階層と、１２セグメントから成り、強階層よりも所要ＣＮ比（Ｃａｒｒｉｅｒ  Ｎｏｉｓｅ  ｒａｔｉｏ）が高い弱階層の２つの階層に分離され階層伝送される。このような階層伝送により、１セグメントから成る強階層を用いて低解像度のテレビ放送が配信され、１２セグメントから成る弱階層を用いてハイビジョン等の高解像度のテレビ放送が配信されている。尚、本実施形態１では、テレビジョン受信装置１の受信可能な帯域幅を示す受信帯域幅は、地上波デジタル放送の１３セグメント（占有周波数帯域幅：５．６ＭＨｚ）に対応している。
【００１８】
また、時刻信号の電波は、携帯電話のような移動通信を目的として、ＣＤＭＡ変調された時刻情報を含み、例えば、８４３．９ＭＨｚ（セカンダリーチャンネル）や８６０．９５ＭＨｚ（プライマリーチャンネル）のような極超短波帯域に１．２３ＭＨｚの占有周波数帯域幅で基地局から送信される。ここで、ＣＤＭＡ変調とは、狭帯域の変調波を拡散符号によって再度変調し、受信側で通信チャネルごとに異なる拡散符号を割当てることで多チャネルでの通信を可能にする変調方式である。
【００１９】
チューナ２０は、入力された受信信号の中から選択された放送信号または時刻信号を、所定の中間周波信号に変換して出力する。対象とする信号の選択は、操作指示手段３８を介して指示される。操作指示手段３８は、放送信号および時刻信号の中から、受信対象信号を選択する機能を有し、ユーザにより操作されるリモコンを想定しても良い。ユーザは、このリモコンを操作することで、視聴する放送チャンネルを選択し、選択された放送チャンネルのデジタルテレビ放送を視聴できる。また、このリモコンの操作により、デジタルテレビ放送を視聴中に、時刻表示を指示できる。
【００２０】
ＴＶ用局発信号生成手段２６は、操作指示手段３８からの指示に従い、受信する放送チャンネルの周波数に応じた第１の局発周波数を有する第１の局部発振信号を生成する。生成された第１の局部発振信号は、ＴＶ信号用周波数変換手段２４に送られる。同様に、ＣＤＭＡ用局発信号生成手段３０は、操作指示手段３８からの指示に従い、受信する時刻信号の周波数に応じた第２の局発周波数を有する第２の局部発振信号を生成する。生成された第２の局部発振信号は、ＣＤＭＡ信号用周波数変換手段３２に送られる。
【００２１】
他方で、ローノイズアンプ２２は、チューナ２０に入力された受信信号を増幅する。本実施形態１では、このローノイズアンプ２２の動作帯域は、地上デジタル放送の１３チャンネルから６２チャンネルまでの周波数帯域（４７０ＭＨｚ〜７７０ＭＨｚ）、ＣＤＭＡ基地局からのセカンダリーチャンネル送信周波数（８４３．９±０．６１５ＭＨｚ）およびＣＤＭＡ基地局からのプライマリーチャンネル送信周波数（８６０．９５±０．６１５ＭＨｚ）である。このローノイズアンプ２２により増幅された受信信号は、ＴＶ信号用周波数変換手段２４およびＣＤＭＡ信号用周波数変換手段３２に送られる。
【００２２】
ＴＶ信号用周波数変換手段２４およびＣＤＭＡ信号用周波数変換手段３２は、それぞれ入力された局部発振信号と受信信号とを混合することにより、受信信号に含まれる受信対象信号を、この受信対象信号の周波数と局部発振信号の局発周波数との差分を周波数とするＩＦ（Ｉｎｔｅｒｍｅｄｉａｔｅ  Ｆｒｅｑｕｅｎｃｙ：中間周波）信号にそれぞれ変換する。一般的に、高周波信号を受信する受信機では、後段の復調処理を容易にすべく、ＩＦ信号の周波数は、受信信号よりも周波数が低い中間周波数に変換される。本実施形態１のテレビジョン受信装置１では、中間周波数は５７ＭＨｚに設計され、ＴＶ用局発信号生成手段２６は、放送信号を含むＩＦ信号の中心周波数が中間周波数（５７ＭＨｚ）になるように、それぞれの放送チャンネル毎に第１の局発周波数を決定する。決定された第１の局発周波数に応じて、ＴＶ信号用周波数変換手段２４で変換されたＩＦ信号は、ＴＶ信号用ＩＦバンドパスフィルタ２８に送られる。
【００２３】
また、ＣＤＭＡ用局発信号生成手段３０は、時刻信号を含むＩＦ信号の中心周波数が、５４．９ＭＨｚになるように、第２の局発周波数を決定する。従って、セカンダリーチャンネルを受信対象とする場合、第２の局発周波数は７８９ＭＨｚとなり、プライマリーチャンネルを受信対象とする場合、第２の局発周波数は８０６．０５ＭＨｚとなる。ここで、図２は、放送信号が変換されたＩＦ信号の周波数帯域と、時刻信号が変換されたＩＦ信号の周波数帯域をそれぞれ示す図である。この図２に示すように、時刻信号の占有周波数帯域（１．２３ＭＨｚ）は、中間周波数を中心周波数とする放送信号の１３セグメント分の帯域（５．６ＭＨｚ）の端部に含まれる。尚、中心周波数は、５４．９ＭＨｚに限定されるものではなく、時刻信号の占有周波数帯域が放送信号の１３セグメント分の帯域に含まれると共に、地上波デジタル放送の１セグメント分の占有周波数帯域と互いに重ならないような中心周波数であれば良い。また、何れかの第２の局発周波数に応じて、ＣＤＭＡ信号用周波数変換手段３２で変換されたＩＦ信号は、ＣＤＭＡ信号用ＩＦバンドパスフィルタ３４に送られる。尚、時刻信号を含むＩＦ信号の中心周波数を、中間周波数（５７ＭＨｚ）とし、放送信号を含むＩＦ信号を、１３セグメント分の帯域（５．６ＭＨｚ）の端部に分布するように、局発周波数をそれぞれ決定しても良い。
【００２４】
ＴＶ信号用ＩＦバンドパスフィルタ２８は、放送信号を含むＩＦ信号をフィルタリングする。このＴＶ信号用ＩＦバンドパスフィルタ２８は、本実施形態１では、中間周波数である５７ＭＨｚを中心周波数として、地上波デジタル放送の１セグメント分（０．４２９ＭＨｚ）の帯域が少なくとも通過可能な特性を有する。従って、ＩＦ信号が含む放送信号は、１３セグメント帯域のうち、中央部の１セグメントの信号のみがＴＶ信号用ＩＦバンドパスフィルタ２８を透過できる。また、本実施形態１では、このようなＴＶ信号用ＩＦバンドパスフィルタ２８として、ＳＡＷ（Ｓｕｒｆａｃｅ  Ａｃｏｕｓｔｉｃ  Ｗａｖｅ）フィルタを採用する。ＳＡＷフィルタは、一般的に、入手が容易であることに加え、図２に示すように、急峻な減衰特性を有することが知られている。ＴＶ信号用ＩＦバンドパスフィルタ２８を通過したＩＦ信号は、ＩＦアンプ３６に送られる。
【００２５】
また、ＣＤＭＡ信号用ＩＦバンドパスフィルタ３４は、時刻信号を含むＩＦ信号をフィルタリングする。このＣＤＭＡ信号用ＩＦバンドパスフィルタ３４は、本実施形態１では、５４．９ＭＨｚを中心周波数として、時刻信号の占有周波数帯（１．２３ＭＨｚ）が少なくとも通過可能となるような特性を有する。ＣＤＭＡ信号用ＩＦバンドパスフィルタ３４を通過したＩＦ信号は、ＩＦアンプ３６に送られる。ＩＦアンプ３６は、放送信号と時刻信号を含むＩＦ信号を増幅し、増幅したＩＦ信号は復調手段４０に送られる。
【００２６】
復調手段４０は、本実施形態１では、テレビジョン受信装置１の中間周波数（５７ＭＨｚ）を中心周波数として、１３セグメント分の帯域幅を有する周波数帯域（５４．２ＭＨｚ〜５９．８ＭＨｚ）を復調可能な周波数帯域とし、この周波数帯域に含まれるＩＦ信号を復調することにより、このＩＦ信号が含む放送情報および時刻情報を取り出す。本実施形態１では、ＩＦアンプ３６から出力されたＩＦ信号は、Ａ／Ｄ変換された後、ＯＦＤＭ復調手段４２とＣＤＭＡ復調手段４４に送られる。ＯＦＤＭ復調手段４２は、ＯＦＤＭ変調された搬送波の信号を、デジタル信号に復調する。復調されたデジタル信号は、１セグメントから成る強階層を用いて送信される低解像度のテレビ放送の信号であり、ＭＰＥＧ復調手段４８に送られて復調されることにより、圧縮された音声信号と映像信号が伸張されて取り出され、出力手段５０に送られる。
【００２７】
また、ＣＤＭＡ復調手段４４は、入力されたＩＦ信号のうち、時刻信号を含むＩＦ信号を復調する。より詳細には、時刻信号を含むＩＦ信号は、位相が直交する２つのデジタル信号（Ｉ信号、Ｑ信号）に対してシンクチャンネル信号が復調される。復調されたシンクチャンネル信号は、時刻情報取得手段４６に送られる。時刻情報取得手段４６は、復調されたシンクチャンネル信号から時刻データを含むシンクチャンネル信号のデータを復号し、このシンクチャンネル信号のデータに含まれる時刻データを抽出する。抽出された時刻データは、出力手段５０に送られる。尚、本実施形態１では、ＯＦＤＭ復調手段４２およびＣＤＭＡ復調手段４４に入力されるＩＦ信号は、放送信号を含むＩＦ信号と時刻信号を含むＩＦ信号とが混合された状態で入力されるが、それぞれのＩＦ信号を分離するためのフィルタを、チューナ２０と復調手段４０の間に設けても良い。
【００２８】
出力手段５０は、ディスプレイ５２およびスピーカ５４を備える。ディスプレイ５２は、復調手段４０から送られる時刻データおよび映像信号の何れかを表示する。また、スピーカ５４は、音声信号を出力する。図３（ａ）および（ｂ）は、ディスプレイ５２に表示される情報を説明する図である。図３（ａ）は、映像信号の映像に時刻データが重畳されて表示される場合を示し、図３（ｂ）は、映像信号の映像の一部領域に、縮小された時刻データが表示される場合を示す。このような表示方法の選択は、操作指示手段３８から指示されても良い。
【００２９】
尚、出力手段５０は、ディスプレイ５２およびスピーカ５４に限定されるものでは無く、ＵＳＢ（Ｕｎｉｖｅｒｓａｌ  Ｓｅｒｉａｌ  Ｂｕｓ）規格のようなインターフェイス規格に従い電気信号に変換し、通信可能に接続された他の情報機器装置等に出力しても良い。また、時刻信号は、テレビジョン受信装置１が備える時計機能部（図示は略す。）に出力し、テレビジョン受信装置１は内蔵する時計を時刻信号に基づき修正しても良い。
【００３０】
以上述べた実施形態１によれば、以下のような効果を奏する。
（１）デジタル放送は、放送信号の復調・復元処理等に時間を要するため、放送信号から取得される時刻には誤差を含むが、本実施形態１のテレビジョン受信装置１は、ＣＤＭＡ変調された時刻信号から時刻情報を取得できるため、デジタル放送を視聴中においても、正確な時刻情報を必要に応じて表示できる。
（２）放送情報および時刻情報から、それぞれの信号が含む情報を取り出す処理を共通にできることから、このような受信装置の製作コストを低減できると共に、受信装置を小型化および低消費電力化できる。
【００３１】
（実施形態２）
次に、本発明の実施形態２について、図４を参照して説明する。尚、以下の説明では、既に説明した部分と同じ部分については、同一符号を付してその説明を省略する。
【００３２】
図４は、放送信号が変換されたＩＦ信号の周波数帯域と、時刻信号が変換されたＩＦ信号の周波数帯域をそれぞれ示す図である。実施形態１では、ＴＶ用局発信号生成手段２６で生成される第１の局部発振信号の第１の局発周波数は、ＴＶ信号を含むＩＦ信号の中心周波数が中間周波数（５７ＭＨｚ）になるように生成されたが、本実施形態２では、１セグメントを用いて送信される放送信号を含むＩＦ信号の占有周波数帯域が、復調手段４０の復調可能な周波数帯域、即ち、５７ＭＨｚを中心周波数として１３セグメント分の帯域幅を有する周波数帯域に含まれると共に、時刻信号を含むＩＦ信号の占有周波数帯域から離れるように第２の局発周波数が決定される。本実施形態２では、放送信号を含むＩＦ信号の中心周波数が５９．５８ＭＨｚになるように、第１の局発周波数が決定される。この結果、時刻信号を含むＩＦ信号は、１３セグメント分の帯域幅を有する復調可能な周波数帯域の一方の端部に含まれ、１セグメントを用いて送信される放送信号を含むＩＦ信号は、この周波数帯域の他方の端部に含まれる。また、本実施形態２におけるＴＶ信号用ＩＦバンドパスフィルタ２８は、５９．５８ＭＨｚを中心周波数として、地上波デジタル放送の１セグメント分（０．４２９ＭＨｚ）の帯域のみを通す特性を有する。
【００３３】
以上述べた実施形態２によれば、実施形態１で述べた（１）、（２）の効果に加え、以下の効果を奏する。
（３）放送信号および時刻信号をそれぞれ含むＩＦ信号は、占有周波数帯域が十分離れて分布するため、それぞれのＩＦ信号は信号干渉の影響をさらに受けにくい。そのため、減衰特性が充分ではないＳＡＷフィルタやＬＣフィルタであっても、ＴＶ信号用ＩＦバンドパスフィルタ２８として採用できる可能性があるため、低コスト化を図ることができる。
【００３４】
以上、本発明を図示した実施形態に基づいて説明したが、本発明は、本実施形態に限定されるものではなく、以下に述べるような変形例も想定できる。
（１）ディスプレイ５２に表示される時刻情報は、デジタル形式に限定されるものではなく、アナログ形式で指針により時刻表示されても良い。
（２）時刻情報の取得は、ユーザ指示によるほか一定時間毎に自動的に行い、テレビジョン受信装置１が備える時計機能部の時刻校正を実行しても良い。また、その場合の時刻は、ディスプレイ５２に表示してもしなくても良い。
（３）テレビジョン受信装置１で受信するテレビ放送は、１セグメントを用いて送信される低解像度の放送に限定されるものではなく、例えば、４セグメントを用いて送信される通常解像度のスタンダード放送でも良い。この場合、図５に示すように、放送信号を含むＩＦ信号の中心周波数が５８．９４ＭＨｚになるように、第１の局発周波数が決定されても良い。
（４）チューナ２０部をダブルスーパヘテロダイン構成として、更に低い中間周波数に変換しても良い。
【図面の簡単な説明】
【００３５】
【図１】本発明の実施形態１に係る受信装置の一実施例であるテレビジョン受信装置の機能構成を示すブロック図。
【図２】放送信号が変換されたＩＦ信号の周波数帯域と時刻信号が変換されたＩＦ信号の周波数帯域を示す図。
【図３】（ａ）は、映像信号の映像に時刻データが重畳されてディスプレイに表示される場合を示し、（ｂ）は、映像信号の映像の一部領域に時刻データが縮小されてディスプレイに表示される場合を示す図。
【図４】本発明の実施形態２における、放送信号が変換されたＩＦ信号の周波数帯域と時刻信号が変換されたＩＦ信号の周波数帯域を示す図。
【図５】変形例における、放送信号が変換されたＩＦ信号の周波数帯域と時刻信号が変換されたＩＦ信号の周波数帯域を示す図。
【符号の説明】
【００３６】
１…テレビジョン受信装置、１０…アンテナ、２０…チューナ、２２…ローノイズアンプ、２４…ＴＶ信号用周波数変換手段、２６…ＴＶ信号用局部発振信号生成手段、２８…ＴＶ信号用ＩＦバンドパスフィルタ、３０…ＣＤＭＡ信号用局部発振信号生成手段、３２…ＣＤＭＡ信号用周波数変換手段、３４…ＣＤＭＡ信号用ＩＦバンドパスフィルタ、３６…ＩＦアンプ、３８…操作指示手段、４０…復調手段、４２…ＯＦＤＭ復調手段、４４…ＣＤＭＡ復調手段、４６…時刻情報取得手段、４８…ＭＰＥＧ復調手段、５０…出力手段、５２…ディスプレイ、５４…スピーカ。
【図１】
2008286523.tif 000003
【図２】
2008286523.tif 000004
【図３】
2008286523.tif 000005
【図４】
2008286523.tif 000006
【図５】
2008286523.tif 000007